(57)【要約】【課題】簡素なシステム構成で、回診先における撮影を効率良くかつ正確に行う。【解決手段】医用画像撮影システム１００では、撮影オーダ情報を表示する携帯端末６０を複数備え、制御装置４０において情報管理装置３０から取得された撮影オーダ情報のうち、ポータブル撮影の撮影オーダ情報を抽出して携帯端末６０に送信し、携帯端末６０において撮影オーダ情報を表示する。また、携帯端末６０においてカセッテＩＤと撮影オーダ情報とを対応付け、制御装置４０において読取装置２０から読み取られた医用画像と撮影オーダ情報とを対応付ける。そして、撮影オーダ情報に対応付けられた医用画像が情報管理装置３０に送信される。【選択図】          図１
2004298217.tif 000002
【特許請求の範囲】
【請求項１】
患者の医用画像を撮影してカセッテに記録する移動可能な撮影装置と、撮影オーダ情報を管理する情報管理装置と、前記情報管理装置から通信ネットワークを介して撮影オーダ情報を取得する少なくとも一つの制御装置と、前記制御装置の少なくとも一つに接続可能な複数の携帯端末と、から構成された医用画像撮影システムであって、
前記制御装置は、
前記情報管理装置から取得された撮影オーダ情報を記憶する記憶手段と、
撮影オーダ情報の管理を行うオーダ管理手段と、を備え、
回診先での撮影が指定されると、前記記憶された撮影オーダ情報のうち、回診先での撮影が指定された撮影オーダ情報を抽出して前記携帯端末に送信し、
前記携帯端末は、
前記制御装置から送信された撮影オーダ情報を記憶する記憶手段と、
前記記憶された撮影オーダ情報を表示する表示手段と、
を備えることを特徴とする医用画像撮影システム。
【請求項２】
前記携帯端末は、前記記憶された撮影オーダ情報と、撮影に用いられるカセッテの識別情報とを対応付けて前記記憶手段に記憶し、当該撮影オーダ情報に対応付けられたカセッテの識別情報を前記制御装置に送信し、
前記制御装置は、カセッテから医用画像とカセッテの識別情報とを読み取り、当該読み取られた医用画像にカセッテの識別情報を対応付ける読取装置から、当該医用画像及び医用画像に対応付けられたカセッテの識別情報を取得し、当該医用画像に対応付けられたカセッテの識別情報と、前記携帯端末から送信された撮影オーダ情報に対応付けられたカセッテの識別情報とに基づいて、取得された医用画像を撮影オーダ情報に対応付ける画像登録手段を備えることを特徴とする請求項１に記載の医用画像撮影システム。
【請求項３】
前記制御装置は、前記撮影オーダ情報に対応付けられた医用画像及び／又はその医用画像の関連情報を前記情報管理装置に送信することを特徴とする請求項２に記載の医用画像撮影システム。
【請求項４】
前記制御装置において、
前記オーダ管理手段は、撮影オーダ情報の変更又は新規登録を行い、当該変更又は新規登録された撮影オーダ情報の更新情報を前記情報管理装置に送信することを特徴とする請求項１〜３の何れか一項に記載の医用画像撮影システム。
【請求項５】
患者の医用画像を撮影してカセッテに記録する移動可能な撮影装置と、撮影オーダ情報を管理する情報管理装置と、前記情報管理装置から通信ネットワークを介して撮影オーダ情報を取得する複数の制御装置と、前記制御装置の少なくとも一つに接続可能な複数の携帯端末と、から構成された医用画像撮影システムにおける撮影オーダ情報の管理方法であって、
前記制御装置において、
前記情報管理装置から取得された撮影オーダ情報を記憶手段に記憶する工程と、
撮影オーダ情報の管理を行うオーダ管理工程と、
回診先での撮影が指定されると、前記記憶された撮影オーダ情報のうち、回診先での撮影が指定された撮影オーダ情報を抽出して前記携帯端末に送信する工程と、
前記携帯端末において、
前記制御装置から送信された撮影オーダ情報を記憶手段に記憶する工程と、
前記記憶された撮影オーダ情報を表示手段に表示する工程と、
を含むことを特徴とする撮影オーダ情報の管理方法。
【請求項６】
カセッテから医用画像を読み取る読取装置が、カセッテから医用画像とともにカセッテの識別情報を読み取り、当該読み取られた医用画像にカセッテの識別情報を対応付ける工程と、
前記携帯端末が、撮影オーダ情報と、撮影に用いられるカセッテの識別情報とを対応付けて、当該撮影オーダ情報に対応付けられたカセッテの識別情報を前記制御装置に送信する工程と、
前記制御装置において、
前記読取装置から、当該医用画像及び医用画像に対応付けられたカセッテの識別情報を取得する工程と、
前記医用画像に対応付けられたカセッテの識別情報と、前記携帯端末から送信された撮影オーダ情報に対応付けられたカセッテの識別情報とに基づいて、前記取得された医用画像を撮影オーダ情報に対応付ける工程と、
を含むことを特徴とする請求項５に記載の撮影オーダ情報の管理方法。
【請求項７】
前記撮影オーダ情報に対応付けられた医用画像及び／又はその医用画像の関連情報を前記制御装置から情報管理装置に送信する工程を含むことを特徴とする請求項６に記載の撮影オーダ情報の管理方法。
【請求項８】
前記オーダ管理工程では、撮影オーダ情報の変更又は新規登録を行い、
前記変更又は新規登録された撮影オーダ情報の更新情報を前記制御装置から情報管理装置に送信する工程を含むことを特徴とする請求項５〜７の何れか一項に記載の撮影オーダ情報の管理方法。
【発明の詳細な説明】
【０００１】
【発明の属する技術分野】
本発明は、回診先において撮影を行う医用画像撮影システム及び撮影オーダ情報の管理方法に関する。
【０００２】
【従来の技術】
医療の分野においては、患者を撮影した医用画像のデジタル化が実現されており、コンピュータ放射線画像撮影装置（以下、ＣＲ；Ｃｏｍｐｕｔｅｄ  Ｒａｄｉｏｇｒａｐｈｙという。）や核磁気共鳴イメージング装置（以下、ＭＲＩ；Ｍａｇｎｅｔｉｃ  Ｒｅｓｏｎａｎｃｅ  Ｉｍａｇｉｎｇという。）等によりデジタル画像データを得て通信ネットワークを介して画像管理装置や表示装置に配信する医用画像撮影システムが利用されている（例えば、特許文献１参照）。
【０００３】
なかでも、ＣＲは、支持体上に輝尽性蛍光体層を形成した蛍光体プレートを用いるもので、患者を透過した放射線を当該蛍光体プレートに吸収させた後、励起光を照射して蛍光体プレートに吸収された放射線エネルギーを励起させて蛍光として放射させ、この放射された蛍光を光電変換して画像信号を得るものである。
【０００４】
図１７を参照して、上記医用画像撮影システムについて説明する。
図１７に示すように、従来の医用画像撮影システムでは、一般的に患者が撮影室に移動して撮影が行われ、各撮影室には、蛍光体プレートを内蔵して撮影と画像読み取りを行う撮影読取装置や、蛍光体プレートを収納した持ち運び可能なカセッテから画像の読み取りを行うカセッテ専用の読取装置等が固定的に設置されている。
【０００５】
また、各撮影室には、読取装置における画像の読取動作を制御する制御装置が設置され、撮影室近辺には、放射線科内の情報を管理するシステム（以下、ＲＩＳ；Ｒａｄｉｏｌｏｇｙ  Ｉｎｆｏｒｍａｔｉｏｎ  Ｓｙｓｔｅｍという。）に対応するための端末装置（以下、ＲＩＳ端末という。）が設置され、これら各制御装置とＲＩＳ端末は、ＬＡＮ（Ｌｏｃａｌ  Ａｒｅａ  Ｎｅｔｗｏｒｋ）等の通信ネットワークを介して通信可能に接続されている。
【０００６】
以上のように構成された医用画像撮影システムでは、まず撮影前にＲＩＳにおいて、医師からの依頼により、撮影対象の患者氏名、性別等の患者情報や撮影部位、撮影方法等の撮影情報、その他検査情報などを含む撮影オーダ情報が発行され、病院内のフロア毎或いは病棟毎などに設置される各ＲＩＳ端末に配信される。このＲＩＳ端末に配信された撮影オーダ情報は、ＲＩＳ端末に接続された制御装置の何れからでも取得可能であり、撮影技師は、任意の制御装置の設置場所まで移動し、当該制御装置を操作して所望の撮影オーダ情報をＲＩＳ端末から取得することができる。
【０００７】
撮影時には、取得された撮影オーダ情報が制御装置のモニタに表示され、撮影技師は、表示された撮影オーダ情報により指定された患者や撮影部位を確認し、撮影を行う。撮影読取装置により撮影を行った場合は、撮影後すぐに画像の読み取りが自動的に行われるが、カセッテを用いて撮影を行った場合は、カセッテ専用の読取装置に撮影技師がカセッテを装着し、当該読取装置に画像の読み取りを実行させて医用画像データを得る。
【０００８】
撮影後には、制御装置から医用画像データと撮影オーダ情報とがＲＩＳ端末に送信され、ＲＩＳ端末において医用画像データと撮影オーダ情報とが対応付けられてＲＩＳサーバに転送される。転送された医用画像はＲＩＳサーバにおいてデータベース化されて画像管理される。
【０００９】
【特許文献１】
特開平１１−２３９１６５号公報
【００１０】
【発明が解決しようとする課題】
患者が移動可能な場合は、上述したような撮影方法で撮影室にて撮影が行われるが、撮影室までの移動が困難な患者のために、移動可能な撮影装置とカセッテとを用いて、患者のベッドサイド等の回診先で撮影が行われる場合がある。この場合、撮影技師は、回診先において撮影オーダ情報を確認できないため、制御装置で保持されている撮影オーダ情報を印刷する等して回診先に持ち込まなければならず、不便であった。
【００１１】
また、上記システム構成では、病院内のフロア毎或いは病棟毎等に制御装置とＲＩＳ端末とを別個に設置しなければならないため、設置スペースの確保が必要となるとともにシステムの大型化によりコスト高を招くこととなる。
【００１２】
特に、ＣＲでは、緊急撮影の依頼が多く、割り込み撮影が頻繁であるとともに、撮影の変更（撮影順序の変更、撮影オーダ情報の追加、撮影条件や患者の変更、キャンセル）が頻繁に行われる。制御装置は撮影オーダ情報の管理機能を備えていないため、撮影の変更や追加がある度に、変更に応じてＲＩＳ端末において撮影オーダ情報の更新を行ったり、追加分の撮影に対応する撮影オーダ情報を新たに発行したりしなければならず、撮影作業の効率が悪かった。また、ＲＩＳのシステムダウン時には撮影オーダ情報を取得できないとともに、医用画像の管理が行えず、医療活動に支障をきたすこととなる。
【００１３】
本発明の課題は、簡素なシステム構成で、回診先における撮影を効率良くかつ正確に行うことができる医用画像撮影システムを提供することである。
【００１４】
【課題を解決するための手段】
請求項１に記載の発明は、
患者の医用画像を撮影してカセッテに記録する移動可能な撮影装置と、撮影オーダ情報を管理する情報管理装置と、前記情報管理装置から通信ネットワークを介して撮影オーダ情報を取得する少なくとも一つの制御装置と、前記制御装置の少なくとも一つに接続可能な複数の携帯端末と、から構成された医用画像撮影システムであって、
前記制御装置は、
前記情報管理装置から取得された撮影オーダ情報を記憶する記憶手段と、
撮影オーダ情報の管理を行うオーダ管理手段と、を備え、
回診先での撮影が指定されると、前記記憶された撮影オーダ情報のうち、回診先での撮影が指定された撮影オーダ情報を抽出して前記携帯端末に送信し、
前記携帯端末は、
前記制御装置から送信された撮影オーダ情報を記憶する記憶手段と、
前記記憶された撮影オーダ情報を表示する表示手段と、
を備えることを特徴としている。
【００１５】
請求項５に記載の発明は、
患者の医用画像を撮影してカセッテに記録する移動可能な撮影装置と、撮影オーダ情報を管理する情報管理装置と、前記情報管理装置から通信ネットワークを介して撮影オーダ情報を取得する複数の制御装置と、前記制御装置の少なくとも一つに接続可能な複数の携帯端末と、から構成された医用画像撮影システムにおける撮影オーダ情報の管理方法であって、
前記制御装置において、
前記情報管理装置から取得された撮影オーダ情報を記憶手段に記憶する工程と、
撮影オーダ情報の管理を行うオーダ管理工程と、
回診先での撮影が指定されると、前記記憶された撮影オーダ情報のうち、回診先での撮影が指定された撮影オーダ情報を抽出して前記携帯端末に送信する工程と、
前記携帯端末において、
前記制御装置から送信された撮影オーダ情報を記憶手段に記憶する工程と、
前記記憶された撮影オーダ情報を表示手段に表示する工程と、
を含むことを特徴としている。
【００１６】
請求項１、５に記載の発明によれば、撮影オーダ情報が携帯端末に表示されるので、患者のベッドサイド等の回診先で撮影を行う場合であっても、撮影技師は携帯端末により容易に撮影対象の患者や撮影条件を確認することができる。従って、回診先における撮影を効率良くかつ正確に行うことができる。また、制御装置は撮影オーダ情報を管理するオーダ管理機能を実現することができるので、ＲＩＳ端末を別途設置する必要がなく、撮影に変更が生じた場合でも適宜対応することができる。さらに、回診先における撮影が指定された撮影オーダ情報のみが自動的に抽出されて携帯端末に送信されるので、撮影オーダ情報を検索する操作手順を省略することができ、撮影技師の作業負担を軽減させることができる。従って、簡素なシステム構成で効率の良い撮影を行うことができる。
【００１７】
請求項２に記載の発明は、請求項１に記載の医用画像撮影システムにおいて、
前記携帯端末は、前記記憶された撮影オーダ情報と、撮影に用いられるカセッテの識別情報とを対応付けて前記記憶手段に記憶し、当該撮影オーダ情報に対応付けられたカセッテの識別情報を前記制御装置に送信し、
前記制御装置は、カセッテから医用画像とカセッテの識別情報とを読み取り、当該読み取られた医用画像にカセッテの識別情報を対応付ける読取装置から、当該医用画像及び医用画像に対応付けられたカセッテの識別情報を取得し、当該医用画像に対応付けられたカセッテの識別情報と、前記携帯端末から送信された撮影オーダ情報に対応付けられたカセッテの識別情報とに基づいて、取得された医用画像を撮影オーダ情報に対応付ける画像登録手段を備えることを特徴としている。
【００１８】
請求項６に記載の発明は、請求項５に記載の撮影オーダ情報の管理方法において、
カセッテから医用画像を読み取る読取装置が、カセッテから医用画像とともにカセッテの識別情報を読み取り、当該読み取られた医用画像にカセッテの識別情報を対応付ける工程と、
前記携帯端末が、撮影オーダ情報と、撮影に用いられるカセッテの識別情報とを対応付けて、当該撮影オーダ情報に対応付けられたカセッテの識別情報を前記制御装置に送信する工程と、
前記制御装置において、
前記読取装置から、当該医用画像及び医用画像に対応付けられたカセッテの識別情報を取得する工程と、
前記医用画像に対応付けられたカセッテの識別情報と、前記携帯端末から送信された撮影オーダ情報に対応付けられたカセッテの識別情報とに基づいて、前記取得された医用画像を撮影オーダ情報に対応付ける工程と、
を含むことを特徴としている。
【００１９】
請求項２、６に記載の発明によれば、携帯端末においてカセッテと撮影オーダ情報との対応付けが行われ、制御装置において撮影オーダ情報と撮影された医用画像との対応付けが行われるので、医用画像の管理を正確に行うことができる。また、撮影技師が撮影オーダ情報と医用画像との対応関係を制御装置に入力する作業を省略することができ、撮影技師の作業負担を軽減させることができる。
【００２０】
請求項３に記載の発明は、請求項２に記載の医用画像撮影システムにおいて、
前記制御装置は、前記撮影オーダ情報に対応付けられた医用画像及び／又はその医用画像の関連情報を前記情報管理装置に送信することを特徴としている。
【００２１】
請求項７に記載の発明は、請求項６に記載の撮影オーダ情報の管理方法において、
前記撮影オーダ情報に対応付けられた医用画像及び／又はその医用画像の関連情報を前記制御装置から情報管理装置に送信する工程を含むことを特徴としている。
【００２２】
請求項３、７に記載の発明によれば、制御装置において撮影オーダ情報に対応付けられた医用画像及び／又は関連情報が情報管理装置に送信されるので、情報管理装置では医用画像のデータベース化が容易となるとともに、医用画像を正確に管理することができる。
【００２３】
請求項４に記載の発明は、請求項１〜３の何れか一項に記載の医用画像撮影システムにおいて、
前記制御装置において、
前記オーダ管理手段は、撮影オーダ情報の変更又は新規登録を行い、当該変更又は新規登録された撮影オーダ情報の更新情報を前記情報管理装置に送信することを特徴としている。
【００２４】
請求項８に記載の発明は、請求項５〜７の何れか一項に記載の撮影オーダ情報の管理方法において、
前記オーダ管理工程では、撮影オーダ情報の変更又は新規登録を行い、
前記変更又は新規登録された撮影オーダ情報の更新情報を前記制御装置から情報管理装置に送信する工程を含むことを特徴としている。
【００２５】
請求項４、８に記載の発明によれば、制御装置において撮影オーダ情報の変更又は新規登録を行うことができ、当該変更又は新規登録により更新された撮影オーダ情報の更新情報が情報管理装置に送信されるので、情報管理装置において統括的に管理されている撮影オーダ情報を容易に更新することができる。
【００２６】
【発明の実施の形態】
以下、図を参照して本発明の実施の形態を詳細に説明する。
本実施の形態では、医用画像撮影システムに撮影オーダ情報を表示する携帯端末を複数備えるとともに、制御装置に撮影オーダ情報の管理機能を備え、制御装置において回診先での撮影を指定された撮影オーダ情報のみを抽出して携帯端末に送信し、撮影された医用画像と撮影オーダ情報との対応付けを行う例を説明する。
【００２７】
まず、構成を説明する。
図１に、本実施の形態における医用画像撮影システム１００のシステム構成を示す。
図１に示すように、医用画像撮影システム１００は、移動型撮影装置１０、カセッテ専用の読取装置２０、情報管理装置３０、制御装置４０、携帯端末６０を備えて構成され、読取装置２０、情報管理装置３０及び制御装置４０は通信ネットワークＮを介して接続されている。また、携帯端末６０は通信端末６０ａを介して特定の制御装置４０と情報の送受信が可能に接続されている。なお、制御装置４０、携帯端末６０の設置個数は、一又は複数であってもよく、特に限定しない。
【００２８】
移動型撮影装置１０は、放射線発生源を備えた移動可能な撮影装置であり、回診先で患者を撮影し（以下、ポータブル撮影するという。）、当該撮影された医用画像をカセッテｃに記録する。カセッテｃは、蛍光体プレートを内蔵して移動型撮影装置１０により撮影された医用画像を記録するものである。カセッテｃの表面には、当該カセッテｃを他のカセッテｃと識別するための識別情報として識別番号（以下、カセッテＩＤという。）がバーコード化されて設けられている。
【００２９】
読取装置２０は、制御装置４０の指示に従ってカセッテｃに記録されている医用画像の読み取りを行うものであり、カセッテｃから医用画像とカセッテＩＤを読み取って、当該読み取られた医用画像をカセッテＩＤと対応付けて制御装置４０に送信する。
【００３０】
情報管理装置３０は、医師からの依頼を受け付けて撮影オーダ情報を発行し、当該発行された撮影オーダ情報に、その撮影オーダ情報を他の撮影オーダ情報と識別するための識別情報（以下、オーダＩＤという。）を付して管理するものである。情報管理装置３０としては、病院内の情報を管理するシステム（以下、ＨＩＳ；Ｈｏｓｐｉｔａｌ  Ｉｎｆｏｒｍａｔｉｏｎ  Ｓｙｓｔｅｍという。）、ＲＩＳ等の情報管理システムにおけるサーバや撮影オーダ情報の発行受付を行う受付端末が適用可能である。
【００３１】
情報管理装置３０は、発行された撮影オーダ情報を各制御装置４０に同時送信するとともに、各制御装置４０から送信された医用画像及び撮影オーダ情報を対応付けて記憶し、画像管理を行う。
【００３２】
制御装置４０は、画像登録機能とオーダ管理機能とを有する。なお、画像登録機能とは、読取装置２０と通信を行い、読取装置２０においてカセッテから読み取られた医用画像及びカセッテＩＤ、撮影条件等の医用画像の関連情報を取得する機能、当該取得された医用画像に撮影オーダ情報を対応付ける（以下、画像登録という。）機能等である。また、オーダ管理機能とは、撮影オーダ情報の更新（新規登録又は変更）を行う機能、更新された撮影オーダ情報の更新情報を情報管理装置３０に送信する（アップロード）機能、通信端末６０ａを介して接続される各携帯端末６０への撮影オーダ情報の配信を行う機能等である。
【００３３】
図２に、制御装置４０の機能的構成を示す。
図２に示すように、制御装置４０は、制御部４１、入力部４２、表示部４３、通信部４４、ＲＡＭ（Ｒａｎｄｏｍ  Ａｃｃｅｓｓ  Ｍｅｍｏｒｙ）４５、記憶部４６、Ｉ／Ｆ（ＩｎｔｅｒＦａｃｅ）４７を備えて構成される。
【００３４】
制御部４１は、ＣＰＵ（Ｃｅｎｔｒａｌ  Ｐｒｏｃｅｓｓｉｎｇ  Ｕｎｉｔ）等により構成され、記憶部４６に格納されるシステムプログラムの他、本発明に係るオーダ送信処理プログラム（図６参照）、新規登録処理プログラム（図８参照）、画像登録処理プログラム（図１４参照）等をＲＡＭ４５に展開して、当該プログラムとの協働により処理動作を統括的に制御する。
【００３５】
入力部４２は、患者情報や撮影情報を入力するための数字キー、文字キー、各種機能キー等を含むキーボードや表示部４３と一体型に構成されるタッチパネルにより構成され、操作されたキーに対応する操作信号を制御部４１に出力する。
【００３６】
表示部４３は、ＬＣＤ（Ｌｉｑｕｉｄ  Ｃｒｙｓｔａｌ  Ｄｉｓｐｌａｙ）等により構成され、各種操作画面や、制御部４１による処理結果等の各種表示情報を表示する。
【００３７】
通信部４４は、ネットワークインターフェース、モデム等により構成され、通信ネットワークＮ上の外部機器と情報の送受信を行う。例えば、撮影前には情報管理装置３０から撮影オーダ情報を受信し、撮影後には医用画像及び／又は医用画像の関連情報、撮影オーダ情報の更新情報を情報管理装置３０に送信する。
【００３８】
ＲＡＭ４５は、制御部４１によって実行される各種プログラム及びこれらプログラムに係るデータを一時的に記憶するワークエリアを形成する。
【００３９】
記憶部４６は、磁気的又は光学的記憶媒体、若しくは半導体メモリで構成され、システムプログラムの他、オーダ送信処理プログラム、新規登録処理プログラム、画像登録処理プログラム及び各プログラムで処理されたデータ等を記憶する。
【００４０】
記憶部４６は、画像データベース（図示せず）を備えて読取装置２０から受信された医用画像のデータファイルを格納する。また、撮影オーダ情報を更新可能に格納する撮影オーダ情報ファイル４６１（図３参照）、撮影オーダ情報と撮影された医用画像との対応関係を記憶するための登録情報ファイル４６２（図４参照）を備えている。
【００４１】
撮影オーダ情報ファイル４６１には、図３に示すように、オーダＩＤ順に撮影オーダ情報が格納される。撮影オーダ情報には、撮影対象の患者のＩＤ、患者氏名等の患者に関する情報（以下、患者情報という。）、撮影条件、撮影日等の撮影に関する情報（以下、撮影情報という。）等が含まれている。
【００４２】
また、各撮影オーダ情報には、撮影オーダ情報が携帯端末６０に送信されたか否かを示す送信済みフラグと、撮影オーダ情報の撮影が終了したか否かを示す撮影済みフラグと、ポータブル撮影が指定されているか否かを示すポータブルの項目が設定される。携帯端末６０に送信された撮影オーダ情報の送信済みフラグはＯＮに設定され、未送信の撮影オーダ情報の送信済みフラグはＯＦＦに設定される。また、登録情報ファイル４６２においてカセッテＩＤが対応付けられた撮影オーダ情報の撮影済みフラグがＯＮに設定され、カセッテＩＤが対応付けられていない撮影オーダ情報の撮影済みフラグはＯＦＦに設定される。さらに、ポータブル撮影が指定された撮影オーダ情報のポータブルの項目には撮影場所（例えば、病室名“２０１号室”など）の情報が格納され、ポータブル撮影が指定されていない、つまり撮影室で撮影を行う通常撮影の撮影オーダ情報では、ポータブルの項目に情報は格納されない。
【００４３】
登録情報ファイル４６２には、図４に示すように、撮影オーダ情報を示すオーダＩＤと、その撮影オーダ情報の撮影に用いられたカセッテｃのカセッテＩＤと、そのカセッテｃから読み取られた医用画像のファイル名とが対応付けて格納される。
【００４４】
Ｉ／Ｆ４７は、制御装置４０と通信端末６０ａとを接続するためのインターフェイスであり、携帯端末６０が通信端末６０ａに装着されると、検出信号を制御部４１に出力する。Ｉ／Ｆ４７は、通信端末６０ａを介して携帯端末６０に撮影オーダ情報を送信し、当該送信された撮影オーダ情報に対応付けられたカセッテｃのカセッテＩＤを携帯端末６０から受信する。
【００４５】
次に、携帯端末６０について説明する。
携帯端末６０は、通信端末６０ａを介して特定の制御装置４０に接続可能な携帯型情報処理装置であり、制御装置４０からポータブル撮影における撮影オーダ情報を受信して表示するものである。また、携帯端末６０は、撮影オーダ情報とその撮影に用いられるカセッテｃとの対応付け（以下、カセッテ登録という。）を行い、当該撮影オーダ情報に対応付けられたカセッテｃのカセッテＩＤをカセッテ登録情報として制御装置４０に送信する。
【００４６】
通信端末６０ａは、ケーブル等を介して特定の制御装置４０に接続され、通信端末６０ａに装着された携帯端末６０と制御装置４０との間で情報の送受信を制御する。また、通信端末６０ａは、携帯端末６０が装着されると、制御装置４０に検出信号を送信するとともに装着された携帯端末６０の充電を行う。
【００４７】
図５に、携帯端末６０の機能的構成を示す。
図５に示すように、携帯端末６０は、制御部６１、入力部６２、表示部６３、Ｉ／Ｆ６４、ＲＡＭ６５、記憶部６６、バーコードリーダ６７を備えて構成される。
【００４８】
制御部６１は、ＣＰＵ等により構成され、記憶部６６に格納されるシステムプログラムの他、本発明に係るカセッテ登録処理プログラム（図１２参照）等をＲＡＭ６５に展開して、当該プログラムとの協働により処理動作を統括的に制御する。
【００４９】
入力部６２は、数字キー、文字キー、各種機能キー等を含むキーボードや表示部６３と一体型に構成されるタッチパネル、ジョグダイアル等から構成される。
【００５０】
表示部６３は、ＬＣＤ等により構成され、各種操作画面や入力部６２からの入力情報、制御部６１による処理結果等の各種表示情報を表示する。
【００５１】
Ｉ／Ｆ６４は、携帯端末６０と通信端末６０ａとを接続するためのインターフェイスであり、携帯端末６０が通信端末６０ａに装着されると、検出信号を制御部６１に出力する。また、Ｉ／Ｆ６４は、通信端末６０ａを介して制御装置４０から撮影オーダ情報を受信し、当該受信された撮影オーダ情報に対するカセッテ登録情報を制御装置４０に送信する。なお、Ｉ／Ｆ６４は、必要に応じてＰＨＳ等の携帯電話端末を接続し、無線通信を確立してデータの送受信を行う構成であってもよい。
【００５２】
ＲＡＭ６５は、制御部６１によって実行される各種プログラム及びこれらプログラムに係るデータを一時駅に記憶するワークエリアを形成する。
【００５３】
記憶部６６は、磁気的又は光学的記憶媒体、若しくは半導体メモリで構成され、システムプログラムの他、カセッテ登録処理プログラム及び各プログラムで処理されたデータ等を記憶する。
【００５４】
また、記憶部６６は、制御装置４０から受信された撮影オーダ情報を更新可能に格納する撮影オーダ情報ファイル６６１（図示せず）と、撮影オーダ情報と当該撮影オーダ情報の撮影に用いられたカセッテｃとの対応関係を記憶するためのカセッテ登録情報ファイル６６２（図示せず）とを格納している。
【００５５】
撮影オーダ情報ファイル６６１のデータ構成は、上述した制御装置４０が備える撮影オーダ情報ファイル４６１から送信済みフラグの項目が削除されただけであるため、その図示及び説明は省略する。すなわち、撮影オーダ情報ファイル６６１には、オーダＩＤ順に撮影オーダ情報が複数格納され、各撮影オーダ情報には撮影済みフラグ及びポータブルの項目が設定されている。
【００５６】
カセッテ登録情報ファイル６６２のデータ構成は、上述した制御装置４０が備える登録情報ファイル４６２から医用画像ファイル名の項目を削除しただけであるので、その図示及び説明を省略する。すなわち、カセッテ登録情報ファイル６６２には、撮影オーダ情報を示すオーダＩＤと、その撮影オーダ情報の撮影に用いられたカセッテＩＤとが対応付けて格納されている。
【００５７】
バーコードリーダ６７は、光学的な読取機構のスキャナを有し、カセッテｃの表面からカセッテＩＤのバーコードを読み取り、所定の規格に従ってデコードすることによりバーコードが示すカセッテＩＤを取得する。なお、患者のベッドサイド又は患者の身体の一部に、患者ＩＤをバーコード化して付帯し、当該付帯されたバーコードをバーコードリーダ６７により読み取って患者ＩＤを取得することも可能である。
【００５８】
次に、本実施の形態における動作を説明する。
まず、図６を参照して、制御装置４０により実行されるオーダ送信処理を説明する。このオーダ送信処理は、情報管理装置３０から発行された撮影オーダ情報を取得し、当該取得された撮影オーダ情報のうちポータブル撮影の撮影オーダ情報を抽出して携帯端末６０に送信する処理である。
【００５９】
図６に示すオーダ送信処理では、ステップＳ１において、情報管理装置３０で発行された撮影オーダ情報を要求する要求情報が生成されて通信部４４により情報管理装置３０に送信される。そして、情報管理装置３０から撮影オーダ情報が取得されると、ステップＳ２では、当該取得された撮影オーダ情報が一覧表示されたオーダリスト画面４３１（図７参照）が表示部４３に表示される。
【００６０】
図７に示すように、オーダリスト画面４３１では、表示領域ａ１に、撮影オーダ情報が一覧表示され、オーダＩＤａ１１毎に、患者ＩＤ、患者の氏名、性別、年齢等の患者情報ａ１２、撮影を依頼した診療科を示す依頼科ａ１３、撮影部位ａ１４、撮影枚数ａ１５が表示される。また、各撮影オーダ情報には、ポータブル撮影か通常撮影かを示すポータブルａ１６の項目と、撮影が終了し画像登録が終了したか否かを示す検査完了ａ１７の項目が設けられる。ポータブルａ１６では、ポータブル撮影の場合のみ撮影を行う病室名（例えば、“２０１号室”）が表示され、通常撮影であれば非表示にされる。また、検査完了ａ１７では、画像登録を終了している場合のみ「済み」と表示され、画像未登録の場合は非表示にされる。
【００６１】
また、表示領域ａ２には、一覧表示された撮影オーダ情報のうち選択された撮影オーダ情報の詳細情報が表示される。詳細情報としては、例えば患者の氏名、性別、年齢等の患者情報ａ２１が表示され、患者情報の下部に撮影部位、撮影方向等の各種撮影条件ａ２２と、撮影条件をコード化した撮影コードａ２３と、撮影枚数ａ２４とが表示される。
【００６２】
また、オーダリスト画面４３１の上部には、ポータブル撮影を指定するためのポータブルキーａ３と、撮影オーダ情報の新規登録を指示するための新規キーａ４が設けられる。
【００６３】
ステップＳ３では、オーダリスト画面４３１において新規キーａ４により撮影オーダ情報の新規登録が指示されたか否かが判別される。新規キーａ４が押下され、新規登録が指示された場合（ステップＳ３；Ｙ）、ステップＳ４の新規登録処理に移行し、新規登録が指示されない場合は（ステップＳ３；Ｎ）、ステップＳ５の処理に移行する。
【００６４】
まず、図８を参照して、ステップＳ４の新規登録処理について説明する。
図８に示す新規登録処理では、ステップＳ４１において、患者情報を入力するための入力画面４３２（図９参照）が表示部４３に表示される。図９に示すように、入力画面４３２では、新規登録する患者の患者ＩＤ、患者氏名（ローマ字、カナ、漢字）、性別、生年月日等の各種患者情報を入力するための入力領域ｂ１とともに、文字入力のための文字キーｂ２が表示される。
【００６５】
次いで、ステップＳ４２において、撮影技師により、文字キーｂ２を用いて各入力領域ｂ１に患者情報が入力されると、ステップＳ４３では、撮影条件を設定するための撮影条件の選択画面４３３（図１０参照）が表示部４３に表示される。図１０に示すように、選択画面４３３では、撮影部位及び撮影方向を選択するための撮影条件キーｃ１が表示される。
【００６６】
次いで、ステップＳ４４において、撮影技師により撮影条件キーｃ１により撮影条件が選択されると、ステップＳ４５では、入力された患者情報及び選択された撮影条件に新規のオーダＩＤが発行され、撮影オーダ情報ファイル４６１に新規登録される。次いで、ステップＳ４６では、新規登録された撮影オーダ情報を加えてオーダリスト画面４３１が再表示され、次の処理、つまり図６のステップＳ５に移行する。
【００６７】
図６のステップＳ５では、オーダリスト画面４３１においてポータブルキーａ３によりポータブル撮影が指定されたか否かが判別される。ポータブルキーａ３が押下されない場合は（ステップＳ５；Ｎ）、通常撮影に応じた処理へ移行し、ポータブルキーａ３が押下され、ポータブル撮影が指定された場合（ステップＳ５；Ｙ）、ステップＳ６に移行する。
【００６８】
ステップＳ６では、情報管理装置３０から取得された撮影オーダ情報のうち、ポータブル指定されている撮影オーダ情報、つまりオーダリスト画面４３１においてリスト表示された撮影オーダ情報のうち、ポータブルａ１６の項目に病室が設定されている撮影オーダ情報が抽出される。撮影オーダ情報が抽出されると、ポータブル撮影用のオーダリスト画面４３４（図１１参照）が表示部４３に表示され、抽出された撮影オーダ情報がリスト表示される。
【００６９】
図１１に示すように、ポータブル撮影用のオーダリスト画面４３４では、オーダリスト画面４３１と同様に、表示領域ａ１に抽出された撮影オーダ情報がリスト表示される。また、表示領域ａ５に、リスト表示された撮影オーダ情報のうち、選択された撮影オーダ情報の詳細情報が表示され、患者氏名ａ５１、オーダＩＤａ５２、撮影条件ａ５３、撮影条件がコード化された撮影コードａ５４、撮影場所ａ５５、撮影枚数ａ５６が表示される。
【００７０】
また、表示領域ａ６には、制御装置４０に接続される携帯端末６０のうち、抽出された撮影オーダ情報を送信する携帯端末６０を選択するためのＰＤＡキーａ６１と、選択操作を確定するＯＫキーａ６２が表示される。
【００７１】
撮影技師は、リスト表示された撮影オーダ情報のうち、送信したい撮影オーダ情報を選択し、選択された撮影オーダ情報の詳細情報を確認した後、携帯端末６０を通信端末６０ａに装着し、ＰＤＡキーａ６１により送信先の携帯端末を選択して、ＯＫキーａ６２を押下する。
【００７２】
制御装置４０ではＰＤＡキーａ６の押下が待機され、ステップＳ７では、オーダリスト画面４３４においてＰＤＡキーａ６１により撮影オーダ情報を送信する携帯端末が選択指定されたか否かが判別される。ＰＤＡキーａ６１が押下され、ＯＫキーａ６２が押下されて選択が確定されると（ステップＳ７；Ｙ）、抽出された撮影オーダ情報のうち、ユーザにより選択された撮影オーダ情報が指定された携帯端末６０に通信端末６０ａを介して送信される（ステップＳ８）。送信後、撮影オーダ情報ファイル４６１において送信された撮影オーダ情報の送信済みフラグがＯＮに設定され、本処理を終了する。
【００７３】
すなわち、本来はトップメニューからポータブル撮影用のメニューに移行し、当該ポータブル撮影のメニューから送信対象の撮影オーダ情報を選択する等、さらに複数段階の操作を経て撮影オーダ情報の送信が行われるが、本発明ではポータブルキーａ３の押下により自動的にポータブル撮影が指定された撮影オーダ情報のみが抽出されて携帯端末に送信されるので、操作手順を大幅に簡略化することができる。
【００７４】
撮影オーダ情報を送信後、撮影技師は、撮影オーダ情報を送信した携帯端末６０を携帯して撮影オーダ情報により指定された撮影場所へカセッテｃ、移動型撮影装置１０を持ち運び、撮影準備を行う。
【００７５】
次に、図１２を参照して携帯端末６０により実行されるカセッテ登録処理について説明する。このカセッテ登録処理は、制御装置４０から送信された撮影オーダ情報とその撮影に用いるカセッテｃとを対応付ける処理である。
図１２に示すカセッテ登録処理では、ステップＰ１において、制御装置４０から撮影オーダ情報が受信されたか否かが判別され、撮影オーダ情報が受信されていない場合は（ステップＰ１；Ｎ）、受信が待機される。
【００７６】
一方、制御装置４０から撮影オーダ情報が受信された場合（ステップＰ１；Ｙ）、受信された撮影オーダ情報が撮影オーダ情報ファイル６６１に格納され（ステップＰ２）、当該格納された撮影オーダ情報に基づいて、患者リスト画面６３１（図１３（ａ）参照）が表示部６３に表示される（ステップＰ３）。図１３（ａ）に示すように、患者リスト画面６３１では、表示領域ｆ１に撮影対象の患者の患者ＩＤ、氏名等がリスト表示される。撮影技師は、撮影対象の患者のベッドサイドで携帯端末６０に表示された患者リスト画面６３１を確認し、リスト表示された患者の中から撮影対象の患者を選択入力する。
【００７７】
患者リスト画面６３１においてリスト表示された患者のうち、撮影対象の患者が撮影技師により選択されると、オーダリスト画面６３２（図１３（ｂ）参照）が表示部６３に表示される（ステップＰ４）。図１３（ｂ）に示すように、オーダリスト画面６３２では、選択された患者の患者情報ｇ１とともに撮影条件ｇ２がリスト表示される。
【００７８】
撮影技師は、オーダリスト画面６３２においてリスト表示された撮影条件ｇ２のうち、カセッテ登録したい撮影オーダ情報の撮影条件ｇ２を選択指定し、撮影に用いるカセッテｃから携帯端末６０のバーコードリーダ６７によりカセッテＩＤのバーコードを読み取らせる。
【００７９】
携帯端末６０ではオーダリスト画面６３２における撮影条件ｇ２の選択入力が待機され、撮影技師により登録対象の撮影オーダ情報の撮影条件ｇ２が選択指定されると（ステップＰ５；Ｙ）、バーコードリーダ６７によりカセッテＩＤのバーコードが読み取られ、カセッテＩＤが取得されたか否かが判別される（ステップＰ６）。カセッテＩＤが取得されない場合は（ステップＰ６；Ｎ）、取得が待機される。
【００８０】
カセッテＩＤが取得された場合（ステップＰ６；Ｙ）、カセッテ登録情報ファイル６６２において、指定された撮影オーダ情報と取得されたカセッテＩＤとが対応付けて格納される（ステップＰ７）。カセッテ登録が終了すると、図１３（ｂ）に示すように、オーダリスト画面６３２では、登録されたカセッテｃのカセッテＩＤｇ３が撮影条件ｇ２に表示され、カセッテ登録されたことが通知される。
【００８１】
撮影技師は、オーダリスト画面６３２においてカセッテ登録が終了したことを確認し、登録されたカセッテｃを用いて患者の撮影を行う。なお、回診先において複数人の患者を連続して撮影する場合には、ステップＰ２〜Ｐ７の処理が繰り返され、カセッテ登録が順次行われることとする。また、カセッテ登録と撮影の順序は問わず、撮影を行った後に携帯端末６０によりカセッテ登録を行うこととしてもよい。そして、撮影が終了すると、撮影技師は制御装置４０が設置されている撮影室に戻り、制御装置４０に接続されている通信端末６０ａに携帯端末６０を装着する。
【００８２】
携帯端末６０では、通信端末６０ａへの装着が待機され、ステップＰ８では、携帯端末６０が通信端末６０ａに装着されたか否かが判別される。そして、携帯端末６０が通信端末６０ａに装着されると（ステップＰ８；Ｙ）、通信端末６０ａを介して接続される制御装置４０にカセッテ登録情報が送信され（ステップＰ９）、本処理を終了する。
【００８３】
撮影技師は、携帯端末６０を通信端末６０ａに装着してカセッテ登録情報を制御装置４０に送信した後、カセッテｃを読取装置２０に装着し、制御装置４０を操作してカセッテｃに記録された医用画像の読み取りを指示する。読取装置２０では、制御装置４０からの指示に従って装着されたカセッテｃから医用画像とともにカセッテＩＤのバーコードが読み取られてカセッテＩＤが取得され、読み取られた医用画像のヘッダ領域に取得されたカセッテｃのカセッテＩＤが書き込まれる。そして、カセッテＩＤが書き込まれた医用画像は制御装置４０に送信される。
【００８４】
次に、図１４を参照して、制御装置４０により実行される画像登録処理について説明する。この画像登録処理は、携帯端末６０から送信されたカセッテ登録情報に基づいて撮影オーダ情報と、撮影された医用画像とを対応付ける処理である。
【００８５】
図１４に示す画像登録処理では、ステップＴ１において、携帯端末６０からカセッテ登録情報が受信されたか否かが判別される。カセッテ登録情報が受信されていない場合は（ステップＴ１；Ｎ）、受信が待機され、カセッテ登録情報が受信された場合は（ステップＴ１；Ｙ）、受信されたカセッテ登録情報に基づき、撮影オーダ情報ファイル４６１においてカセッテが登録された撮影オーダ情報の撮影済みフラグがＯＮに設定されるとともに、登録情報ファイル４６２において撮影オーダ情報とその撮影に用いられたカセッテｃのカセッテＩＤとが対応付けて格納される（ステップＴ２）。
【００８６】
次いで、読取装置２０において読み取られた医用画像の受信が待機され、ステップＴ３では、読取装置２０から医用画像が受信されたか否かが判別される。医用画像が受信されると（ステップＴ３；Ｙ）、受信された医用画像のヘッダ領域からカセッテＩＤが読み出され、登録情報ファイル４６２において、当該読み出されたカセッテＩＤと一致するカセッテＩＤに対応付けて医用画像のファイル名が格納される（ステップＴ４）。
【００８７】
画像登録が終了すると、ステップＴ６では、登録情報ファイル４６２に登録された対応関係に基づいて、撮影オーダ情報と医用画像とが対応付けて表示された画像確認画面４３５（図１５参照）が表示部４３に表示される。図１５に示すように、画像確認画面４３５では、複数患者分の医用画像ｈ２が並列して表示され、各医用画像ｈ２には、患者ＩＤ、患者氏名の患者情報ｈ１と、撮影条件及び撮影に用いたカセッテのカセッテＩＤを含む撮影情報ｈ３とが対応付けて表示される。さらに、医用画像ｈ２毎に医用画像と撮影オーダ情報との対応関係を確定するＯＫキーｈ４が表示される。
【００８８】
また、画面上部には、撮影条件の修正を指示する条件修正キーｈ５と、患者情報の修正を指示するための患者修正キーｈ６が設けられ、画面下部には、全ての画像の確認が終了した際に検査の終了を指示するための終了キーｈ７が設けられる。
【００８９】
画像確認画面４３５が表示された後、ステップＴ６では、条件修正キーｈ５が押下されたか否かが判別され、条件修正キーｈ５が押下された場合（ステップＴ６；Ｙ）、図１０に示した撮影条件の選択画面４３３が表示部４３に表示され、当該選択画面４３３における選択入力に応じて撮影条件の修正が行われる。このとき、図１０に示すように、選択画面４３３で表示された撮影条件キーｃ１のうち、ポータブル撮影では撮影不可能な撮影条件に対応する撮影条件キーｃ２には網掛け表示されるなどして選択不可能であることが示される。選択画面４３３において修正された撮影条件は撮影オーダ情報ファイル４６１において更新される（ステップＴ７）。
【００９０】
一方、条件修正キーｈ５が押下されない場合（ステップＴ６；Ｎ）、ステップＴ８において、患者修正キーｈ６が押下されたか否かが判別され、患者修正キーｈ６が押下された場合は（ステップＴ８；Ｙ）、図９に示した患者情報の入力画面４３２が表示部４３に表示され、当該入力画面４３２における選択入力に応じて患者情報の修正が行われる。修正された患者情報は撮影オーダ情報ファイル４６１において更新される（ステップＴ９）。
【００９１】
一方、患者修正キーｈ６が押下されない場合（ステップＴ９；Ｎ）、終了キーｈ７の押下が待機され、ステップＴ１０において、終了キーｈ７が押下されたか否かが判別される。そして、終了キーｈ７が押下されると（ステップＴ１０；Ｙ）、医用画像のデータファイル及び医用画像の関連情報として画像登録情報が情報管理装置３０に送信されるとともに、撮影オーダ情報の更新情報が情報管理装置３０に送信される（ステップＴ１１）。送信が終了すると、本処理を終了する。
【００９２】
情報管理装置３０では、制御装置４０から送信された医用画像が撮影オーダ情報と対応付けて管理されるとともに、撮影オーダ情報の更新情報に基づいて情報管理装置３０で管理されている撮影オーダ情報の更新が行われる。
【００９３】
以上のように、医用画像撮影システム１００では、複数の携帯端末が備えられ、ポータブル撮影の撮影オーダ情報が制御装置４０から携帯端末６０に送信されて表示されるので、患者のベッドサイド等、回診先で撮影する場合でも、撮影技師は携帯する携帯端末６０により撮影オーダ情報を確認することができ、容易に撮影対象の患者や撮影条件を確認することができる。従って、回診先における医用画像の撮影を効率良くかつ正確に行うことができる。
【００９４】
また、携帯端末６０においてカセッテ登録が行われ、このカセッテ登録情報が携帯端末６０から制御装置４０へ送信されると、制御装置４０においてカセッテ登録情報に基づき、撮影された医用画像と撮影オーダ情報との対応付けが行われるので、撮影技師が撮影オーダ情報と医用画像との対応関係を制御装置４０に入力する作業を省略することができ、撮影技師の作業負担を軽減させることができる。また、撮影技師の入力ミス等により人為的ミスを防止することができ、医用画像を正確に管理することができる。
【００９５】
また、制御装置４０において最初に情報管理装置３０で登録された撮影オーダ情報を取得しておき、ポータブル撮影の際には、当該取得された撮影オーダ情報のうち、ポータブル撮影の撮影オーダ情報のみが抽出されて自動的に携帯端末６０に送信されるので、通常撮影とポータブル撮影の撮影オーダ情報が混在する中からポータブル撮影の撮影オーダ情報を検索する作業や送信作業を省略することができ、撮影技師の作業負担を軽減することができる。
【００９６】
また、制御装置４０に撮影オーダ情報の管理機能を備えたので、撮影オーダ情報の新規登録や取得された撮影オーダ情報の修正、削除等の変更ができ、撮影時に割り込み撮影や撮影変更が生じた場合でも制御装置４０において対応することができる。従って、ＨＩＳやＲＩＳに対応する端末装置を各フロアや病棟で個別に設置する必要が無く、システムにおける端末装置の設置数を削減してシステム構成の簡素化を図ることができる。
【００９７】
また、制御装置４０において最初に撮影オーダ情報を情報管理装置３０から取得しておくので、情報管理装置３０側でシステムダウン等の障害が発生した場合であっても、支障をきたすことなく撮影作業をすすめることができる。また、情報管理装置３０側でシステムが復旧したときに制御装置４０から情報管理装置３０に撮影オーダ情報の更新情報を送信することにより、システムダウン時に失われたデータ又は変更されたデータ等を補足することができ、より効率的なシステム運用が可能となる。
【００９８】
また、上記システム構成では、携帯端末６０は通信端末６０ａを介して特定の制御装置４０に直接接続されるので、システムメンテナンスやシステム変更を行う場合、ある特定の制御装置４０とその制御装置４０に接続される携帯端末６０のみのメンテナンスを行えばよいため、システム変更の自由度が高くシステムの再構成が容易となる。また、直接、情報管理装置３０と携帯端末６０との間で情報のやり取りを行わずに、携帯端末６０を接続する制御装置４０を特定し、制御装置４０において携帯端末６０へ送受信する情報を管理することによりシステムの安定化を図ることができる。
【００９９】
なお、本実施の形態における記述内容は、本発明を適用した医用画像撮影システム１００の好適な一例であり、これに限定されるものではない。
【０１００】
上述した説明では、携帯端末６０は特定の制御装置４０に接続するシステム構成としたが、図１６に示す医用画像撮影システム２００のように、携帯端末６０を通信端末６０ａを介して直接通信ネットワークＮに接続し、この通信ネットワークＮを介して任意の制御装置４０と通信可能なシステム構成とすることとしてもよい。
【０１０１】
図１６に示した医用画像撮影システム２００のシステム構成では、制御装置４０から携帯端末６０に撮影オーダ情報を送信する際に、その撮影オーダ情報に対応するカセッテ登録情報を送信する制御装置を指定しておき、送信する撮影オーダ情報に指定された制御装置の送信先情報（例えば、ＩＰアドレス等）を付帯情報として付帯させることとする。なお、カセッテ登録情報を送信する制御装置が特に指定されない場合は、撮影オーダ情報の送信元である制御装置に携帯端末６０からカセッテ登録情報が送信されることとする。
【０１０２】
この医用画像撮影システム２００におけるシステム構成では、携帯端末６０は制御装置４０の何れとも接続可能であるので、どの制御装置４０からでも所望の携帯端末６０に撮影オーダ情報を送信することができ、利便性が向上する。
【０１０３】
その他、本実施の形態における医用画像撮影システム１００の細部構成及び細部動作に関しても、本発明の趣旨を逸脱することのない範囲で適宜変更可能である。
【０１０４】
【発明の効果】
請求項１、５に記載の発明によれば、撮影オーダ情報が携帯端末に表示されるので、患者のベッドサイド等の回診先で撮影を行う場合であっても、撮影技師は携帯端末により容易に撮影対象の患者や撮影条件を確認することができる。従って、回診先における撮影を効率良くかつ正確に行うことができる。また、制御装置は撮影オーダ情報を管理するオーダ管理機能を実現することができるので、ＲＩＳ端末を別途設置する必要がなく、撮影に変更が生じた場合でも適宜対応することができる。さらに、回診先における撮影が指定された撮影オーダ情報のみが自動的に抽出されて携帯端末に送信されるので、撮影オーダ情報を検索する操作手順を省略することができ、撮影技師の作業負担を軽減させることができる。従って、簡素なシステム構成で効率の良い撮影を行うことができる。
【０１０５】
請求項２、６に記載の発明によれば、携帯端末においてカセッテと撮影オーダ情報との対応付けが行われ、制御装置において撮影オーダ情報と撮影された医用画像との対応付けが行われるので、医用画像の管理を正確に行うことができる。また、撮影技師が撮影オーダ情報と医用画像との対応関係を制御装置に入力する作業を省略することができ、撮影技師の作業負担を軽減させることができる。
【０１０６】
請求項３、７に記載の発明によれば、制御装置において撮影オーダ情報に対応付けられた医用画像及び／又は関連情報が情報管理装置に送信されるので、情報管理装置では医用画像のデータベース化が容易となるとともに、医用画像を正確に管理することができる。
【０１０７】
請求項４、８に記載の発明によれば、制御装置において撮影オーダ情報の変更又は新規登録を行うことができ、当該変更又は新規登録により更新された撮影オーダ情報の更新情報が情報管理装置に送信されるので、情報管理装置において統括的に管理されている撮影オーダ情報を容易に更新することができる。
【図面の簡単な説明】
【図１】本発明を適用した実施の形態の医用画像撮影システム１００のシステム構成を示す図である。
【図２】制御装置４０の機能的構成を示す図である。
【図３】撮影オーダ情報ファイル４６１のデータ構成を示す図である。
【図４】登録情報ファイル４６２のデータ構成を示す図である。
【図５】携帯端末６０の機能的構成を示す図である。
【図６】制御装置４０により実行されるオーダ送信処理を説明するフローチャートである。
【図７】オーダリスト画面４３１を示す図である。
【図８】新規登録処理を説明するフローチャートである。
【図９】患者情報の入力画面４３２を示す図である。
【図１０】撮影条件の選択画面４３３を示す図である。
【図１１】ポータブル撮影用のオーダリスト画面４３４を示す図である。
【図１２】携帯端末６０により実行されるカセッテ登録処理を説明するフローチャートである。
【図１３】（ａ）は患者リスト画面６３１であり、（ｂ）はオーダリスト画面６３２である。
【図１４】制御装置４０により実行される画像登録処理を説明するフローチャートである。
【図１５】画像確認画面４３５を示す図である。
【図１６】他の実施の形態における医用画像撮影システム２００のシステム構成を示す図である。
【図１７】従来の医用画像撮影システムのシステム構成を示す図である。
【符号の説明】
１００    医用画像撮影システム
１０    移動型撮影装置
２０    読取装置
３０    情報管理装置
４０    制御装置
４１    制御部
４４    通信部
４６    記憶部
４６１    撮影オーダ情報ファイル
４６２    登録情報ファイル
６０    携帯端末
６０ａ    通信端末
６１    制御部
６３    表示部
６４    通信部
６６    記憶部
６６１    撮影オーダ情報ファイル
６６２    カセッテ登録情報ファイル
２００    他の実施の形態の医用画像撮影システム
【図１】
2004298217.tif 000003
【図２】
2004298217.tif 000004
【図３】
2004298217.tif 000005
【図４】
2004298217.tif 000006
【図５】
2004298217.tif 000007
【図６】
2004298217.tif 000008
【図７】
2004298217.tif 000009
【図８】
2004298217.tif 000010
【図９】
2004298217.tif 000011
【図１０】
2004298217.tif 000012
【図１１】
2004298217.tif 000013
【図１２】
2004298217.tif 000014
【図１３】
2004298217.tif 000015
【図１４】
2004298217.tif 000016
【図１５】
2004298217.tif 000017
【図１６】
2004298217.tif 000018
【図１７】
2004298217.tif 000019